(57)【要約】【課題】キャップの頂部において、十分な空気流通と十分な識別表示が可能な筆記具用キャップを提供する。【解決手段】キャップ本体の頂壁３１に軸方向に通気孔３２を貫設する。通気孔３２により、キャップ本体内部とキャップ本体外部とを連通させる。通気孔３２が、キャップ本体の頂壁３１を外部から見た際に文字形状の識別表示を構成する。通気孔３２よりなる識別表示を、キャップ本体の頂壁３１の略中央に設ける。キャップ本体の側壁にクリップ３４を設ける。クリップ３４を下にしてキャップ本体の頂壁３１を外部から視認した際、通気孔３２よりなる識別表示を構成する文字が正規の向きで読み取り可能に配置される。【選択図】  図１
2013173328.tif 000002
【特許請求の範囲】
【請求項１】
キャップ本体の頂壁に軸方向に通気孔を貫設し、前記通気孔により、キャップ本体内部とキャップ本体外部とを連通させる筆記具用キャップであって、前記通気孔が、前記キャップ本体の頂壁を外部から見た際に文字形状の識別表示を構成し、前記通気孔よりなる識別表示を、前記キャップ本体の頂壁の略中央に設けたことを特徴とする筆記具用キャップ。
【請求項２】
前記キャップ本体の側壁にクリップを設け、前記クリップを下にして前記キャップ本体の頂壁を外部から視認した際、前記通気孔よりなる識別表示を構成する文字が正規の向きで読み取り可能に配置される請求項１記載の筆記具用キャップ。
【請求項３】
前記キャップ本体が、前端に頂壁を備え且つ後端に開口部を備えた第１の筒体と、該第１の筒体の前端部に固着され、前端に頂壁を備え且つ後端に開口部を備えた第２の筒体とを有し、前記第１の筒体の頂壁に第１の通気孔を軸方向に貫設し、前記第２の筒体の頂壁に、前記第１の通気孔と連通する第２の通気孔を軸方向に貫設し、前記第１の筒体内に軸方向に移動可能な内キャップを設け、筆記具本体のペン先側に装着した際、前記内キャップに設けたシール部により前記第１の通気孔を塞いでなり、前記第２の筒体の頂壁が前記キャップ本体の頂壁を構成し、前記第２の通気孔が前記識別表示を構成してなる請求項１または２記載の筆記具用キャップ。
【発明の詳細な説明】
【技術分野】
【０００１】
本発明は、筆記具用キャップに関する。
【背景技術】
【０００２】
特許文献１には、キャップの頂部の天板部に、文字や図形よりなる識別表示を、印刷や刻設による手段、または別部材（シール等）の取り付けにより設けることが開示されている。
【０００３】
特許文献２には、頂部の中心部分を広い面積を確保するために空気流通孔を扇形形状とし、頂部の中心部分にペン先形状や筆跡色の表示を設けた筆記具のキャップが開示されている。
【０００４】
特許文献３には、キャップの頂部に空気通路を開口させた筆記具用キャップが開示されている。
【先行技術文献】
【特許文献】
【０００５】
【特許文献１】特開平８−９０９８４号公報
【特許文献２】特開平８−３２４１８０号公報
【特許文献３】特開平４−８５０９５号公報
【発明の概要】
【発明が解決しようとする課題】
【０００６】
前記特許文献１の筆記具用キャップは、キャップの頂部に文字や図形よりなる識別表示を、印刷や刻設、または別部材（シール等）の取り付けにより設ける構成のため、キャップの頂部にキャップ内部と外部とを連通させる通気孔を設ける場合、該通気孔をキャップの頂部に大きく開口させることが困難である。
【０００７】
前記特許第２の文献のキャップは、頂部の中心部分にペン先形状や筆跡色の表示のための広い面積を確保するため、キャップの頂部に空気流通孔を大きく開口させることが困難である。
【０００８】
前記特許文献３のキャップは、キャップの頂部に十分な空気通路を確保できるとしても、キャップの頂部に識別表示を設けることが困難である。
【０００９】
本発明は前記従来の問題点を解決するものであって、キャップの頂部において、十分な空気流通と十分な識別表示が可能な筆記具用キャップを提供しようとするものである。
【００１０】
尚、本発明において、「前」とはキャップの閉塞側（頂部側）を指し、「後」とはキャップの開口側を指す。
【課題を解決するための手段】
【００１１】
本願の第１の発明は、キャップ本体の頂壁３１に軸方向に通気孔３２を貫設し、前記通気孔３２により、キャップ本体内部とキャップ本体外部とを連通させる筆記具用キャップであって、前記通気孔３２が、前記キャップ本体の頂壁３１を外部から見た際に文字形状の識別表示を構成し、前記通気孔３２よりなる識別表示を、前記キャップ本体の頂壁３１の略中央に設けたことを要件とする。
【００１２】
前記第１の発明の筆記具用キャップ１は、通気孔３２が、キャップ本体の頂壁３１を外部から見た際に文字形状の識別表示を構成し、通気孔３２よりなる識別表示を、キャップ本体の頂壁３１の略中央に設けたことにより、キャップの頂壁３１に大きな通気孔３２を開口させ十分な空気流通が可能となり、しかも、キャップの頂壁３１に外部から容易な識別が可能な識別表示を形成できる。また、通気孔３２を文字形状にしたことにより、通気孔３２が、一定幅を有する線状の孔で構成できるため、キャップ装着時、指で通気孔３２を塞ぐことを回避でき、キャップ内の加圧空気をペン先内や筆記具本体内に侵入させること抑止できる。
【００１３】
本願の第２の発明は、前記第１の発明の筆記具用キャップ１において、前記キャップ本体の側壁にクリップ３４を設け、前記クリップ３４を下にして前記キャップ本体の頂壁３１を外部から視認した際、前記通気孔３２よりなる識別表示を構成する文字が正規の向きで読み取り可能に配置されることを要件とする。
【００１４】
前記第２の発明の筆記具用キャップ１は、キャップ本体の側壁にクリップ３４を設け、クリップ３４を下にしてキャップ本体の頂壁を外部から視認した際、通気孔３２よりなる識別表示を構成する文字が正規の向きで読み取り可能に配置されることにより、クリップ３４の正面向きで立てて陳列された際、文字形状の識別表示を容易に識別できる。
【００１５】
本願の第３の発明は、前記第１または第２の発明の筆記具用キャップ１において、前記キャップ本体が、前端に頂壁２１を備え且つ後端に開口部を備えた第１の筒体２と、該第１の筒体２の前端部に固着され、前端に頂壁３１を備え且つ後端に開口部を備えた第２の筒体３とを有し、前記第１の筒体２の頂壁２１に第１の通気孔２２を軸方向に貫設し、前記第２の筒体３の頂壁３１に、前記第１の通気孔２２と連通する第２の通気孔３２を軸方向に貫設し、前記第１の筒体２内に軸方向に移動可能な内キャップ４を設け、筆記具本体５のペン先５１側に装着した際、前記内キャップ４に設けたシール部４２により前記第１の通気孔２２を塞いでなり、前記第２の筒体３の頂壁３１が前記キャップ本体の頂壁を構成し、前記第２の通気孔３２が前記識別表示を構成してなることを要件とする。
【００１６】
前記第３の発明の筆記具用キャップ１は、第２の筒体３の頂壁３１がキャップ本体の頂壁を構成し、第２の通気孔３２が識別表示を構成してなることにより、十分な通気機能を備えた、文字形状の通気孔を自由に形成することができる。もし、内キャップのシール部がキャップ本体の頂壁の文字形状の通気孔（識別表示）を塞ぐ構成の場合、シール部とのシール機能を満足させるために、該通気孔の形状の自由度が減少し、文字形状の通気孔を自由に形成することが困難となる。
【００１７】
尚、本発明で、前記通気孔（第２の通気孔３２）の文字形状の文字とは、例えば、アルファベット（ローマ字）、数字、ひらがな、カタカナ、漢字等が挙げられる。前記識別表示は、例えば、ペン先種類、筆跡幅、インキ色、商品名、ブランド名等が挙げられる。
【００１８】
前記文字形状は、環状部分を有しない文字（例えば、アルファベットのＣ、Ｅ、Ｆ、Ｇ、Ｈ、Ｉ、Ｊ、Ｋ、Ｌ、Ｍ、Ｎ、Ｓ、Ｔ、Ｕ、Ｖ、Ｗ、Ｘ、Ｙ、Ｚ、数字の１、２、３、７）と環状部分を有する文字（例えば、アルファベットのＡ、Ｂ、Ｄ、Ｏ、Ｐ、Ｑ、Ｒ、数字の０、４、６、８、９）とが挙げられる。環状部分を有しない文字の場合、連続した一定幅を有する線状の孔で識別表示を構成できる。環状部分を有する文字の場合、不連続の複数の一定幅を有する線状の孔で識別表示を構成できる。前記識別表示の文字は、１文字であってもよいし、複数の文字であってもよい。
【発明の効果】
【００１９】
本発明の筆記具用キャップは、頂部において、十分な空気流通と十分な識別表示が可能となる。
【図面の簡単な説明】
【００２０】
【図１】本発明の筆記具用キャップの実施の形態において、キャップ装着完了前の状態を示す要部縦断面図である。
【図２】図１のＡ−Ａ線断面図である。
【図３】図１のＢ−Ｂ線断面図である。
【図４】図１のキャップ装着完了後の状態を示す要部縦断面図である。
【発明を実施するための形態】
【００２１】
図１乃至図４に本発明の実施の形態を示す。
本実施の形態の筆記具用キャップ１は、キャップ本体と、キャップ本体内に軸方向可動に収容される内キャップ４とからなる。
【００２２】
前記キャップ本体は、前端に頂壁２１を備え且つ後端に開口部を備えた第１の筒体２と、前端に頂壁３１を備え且つ後端に開口部を備えた第２の筒体３とを有する。第１の筒体２の前端部に第２の筒体３の後端部が固着される。
【００２３】
前記第１の筒体２の頂壁２１の中央には、円形の第１の通気孔２２が軸方向に貫設される。前記第２の筒体３の頂壁３１の略中央領域には、文字形状の第２の通気孔３２が軸方向に貫設される。前記第１の通気孔２２と第２の通気孔３２は連通される。
【００２４】
前記第１の筒体２は、両端が開口した円筒状の外筒部２５と、前端に頂壁２１を備え且つ後端に開口部を備えた有底筒状の内筒部２６とからなり、前記内筒部２６の後端開口部が前記外筒部２５の内周面に一体に連設される。前記外筒部２５の内周面と、前記内筒部２６の外周面との間には、前方に開口する円筒状の隙間２７が形成される。前記第１の筒体２は、合成樹脂により一体に形成される。
【００２５】
前記第１の筒体２内には、軸方向に可動に内キャップ４が収容される。前記内キャップ４の前端には、第１の通気孔２２を閉鎖可能な弾性シール体４１が取り付けられる。前記弾性シール体４１の前端には、環状のシール部４２が形成されている。前記第１の筒体２内にはバネ４６（具体的には圧縮コイルスプリング）が収容される。前記内キャップ４の側壁には、前記バネ４６を受ける鍔部４３と、内キャップ４の内部と外部とを連通させる複数の窓孔４４とが形成される。前記バネ４６の前端は、第１の筒体２の頂壁２１内面に当接され、前記バネ４６の後端は内キャップ４の鍔部４３に当接され、それにより、前記内キャップ４は前記バネ４６により後方に付勢される。
【００２６】
前記第１の筒体２の内周面には、内キャップ４の後端と当接して該内キャップ４の脱落を防止する抜け止め突起２３が一体に形成される。また、前記第１の筒体２の内周面には、筆記具本体５の外周面と気密嵌合する環状突起２４が一体に形成される。
【００２７】
前記第２の筒体３は、前端の頂壁３１と、該頂壁３１より後方に連設される取付筒部３３と、該取付筒部３３の側壁外面に連設されるクリップ３４とが合成樹脂により一体に形成されてなる。
【００２８】
前記取付筒部３３が、前記第１の筒体２の前端部の隙間２７に圧入され、それにより、第２の筒体３が第１の筒体２に固着される。
【００２９】
前記第２の筒体３の頂壁３１の外面は、軸線に対して垂直な平面により形成される。前記第２の筒体３の頂壁３１には、文字形状の第２の通気孔３２が軸方向に貫設される。前記文字形状の第２の通気孔３２は、例えば、アルファベットのＶ字形状に形成される。それにより、第２の通気孔３２が、ブランド名「Ｖ」を表示する識別表示を構成する。
【００３０】
クリップ３４を下向きにして、第２の筒体３の頂壁３１の第２の通気孔３２を視認した際、文字形状の第２の通気孔３２からなる識別表示の文字が正規の向きで視認される（図２参照）。
【００３１】
前記第２の筒体３は、不透明な合成樹脂により構成される。それにより、第２の筒体３の頂壁３１を不透明に構成し、第２の筒体３の頂壁３１の外面と第２の通気孔３２との明確なコントラストが生じて、文字形状の第２の通気孔３２を容易に視認できる。
【００３２】
・作用
キャップ１を筆記具本体５のペン先側に装着する以前の状態（図１）において、内キャップ４がバネ４６により後方に付勢され、該内キャップ４の前端が第１の筒体２内周面の抜け止め突起２３に当接している。このとき、第１の筒体２の第１の通気孔２２外周の頂壁２１内面と弾性シール体４１とが非接触状態にあり、第１の通気孔２２は塞がれていない。それにより、第１の筒体２の内部のペン先５１が収容される空間は、窓孔４４、第１の通気孔２２、および第２の通気孔３２を通して外気と連通している。
【００３３】
次に、キャップ１を筆記具本体５のペン先５１側に装着していくと、まず、筆記具本体５外面のペン先５１後方に位置する肩部５３が内キャップ４内面の段部４５に当接し、キャップの装着過程に従って、内キャップ４が前方に移動される。その後、図２に示すように、弾性シール体４１の前端の環状のシール部４２が第１の筒体２の頂壁３１内面に密接し、第１の通気孔２２が内側より塞がれると同時に、第１の筒体２の内周面の環状突起２４が筆記具本体５外周面の環状突起５２と乗り越えて気密嵌合する。それにより、キャップ内は、外部と通気が遮断される。
【００３４】
本実施の形態の筆記具用キャップ１は、通気孔３２が、キャップ本体の頂壁３１を外部から見た際に文字形状の識別表示を構成し、通気孔３２よりなる識別表示を、キャップ本体の頂壁３１の略中央に設けたことにより、キャップ１の頂壁３１に大きな通気孔３２を開口させ十分な空気流通が可能となり、しかも、キャップ１の頂壁３１に外部から容易な識別が可能な識別表示を形成できる。また、通気孔３２を文字形状にしたことにより、通気孔が、一定幅を有する線状の孔で構成できるため、キャップ装着時、指で通気孔３２を塞ぐことを回避でき、キャップ内の加圧空気をペン先５１内や筆記具本体５内に侵入させること抑止できる。
【００３５】
本実施の形態の筆記具用キャップ１は、キャップ本体の側壁にクリップ３４を設け、クリップ３４を下にしてキャップ本体の頂壁３１を外部から視認した際、通気孔３２よりなる識別表示を構成する文字が正規の向きで読み取り可能に配置されることにより、クリップ３４の正面向きで立てて陳列された際、文字形状の識別表示を容易に識別できる。
【００３６】
本実施の形態の筆記具用キャップ１は、第２の筒体３の頂壁３１がキャップ本体の頂壁を構成し、第２の通気孔３２が識別表示を構成してなることにより、十分な通気機能を備えた、文字形状の通気孔を自由に形成することができる。
【符号の説明】
【００３７】
１  筆記具用キャップ
２  第１の筒体
２１  頂壁
２２  第１の通気孔
２３  抜け止め突起
２４  環状突起
２５  外筒部
２６  内筒部
２７  円筒状の隙間
３  第２の筒体
３１  頂壁
３２  第２の通気孔
３３  取付筒部
３４  クリップ
４  内キャップ
４１  弾性シール体
４２  シール部
４３  鍔部
４４  窓孔
４５  段部
４６  バネ
５  筆記具本体
５１  ペン先
５２  環状突起
５３  肩部
【図１】
2013173328.tif 000003
【図２】
2013173328.tif 000004
【図３】
2013173328.tif 000005
【図４】
2013173328.tif 000006